(57)【要約】【課題】画像等の擬似的なカードを使用することなく、安価なコストで本物のカードを使用してリアルさや面白さを向上することが可能なカードゲーム機を提供する。【解決手段】カードＣを傾斜するカードテーブル１９上に配布した後、ストッパ２２と接触した状態で、カードＣの下面からカード反転装置３１のアーム３５ａにより押し上げて反転させるようにした。これにより、カードＣを把持して上方から持ち上げたりする複雑な機構を使用する必要がなく、本実施の形態では安価なコストでカードＣを反転させることができる。【選択図】      図５
2005034514.tif 000002
【特許請求の範囲】
【請求項１】
表面に自身と他とを識別する自他識別情報が表示されるとともに裏面のデザインに共通性を有するカードを使用したカードゲーム機において、
同じ形状の複数の前記カードを積層してなるカード群の中から、カードを１枚ずつ裏面側が露出した状態で配布する配布手段と、
前記配布手段により配布されたカードが滑走する傾斜面と、
前記傾斜面を滑走してきた前記カードを傾斜面の所定位置にて停止させる停止手段と、
前記停止手段によって停止させられた前記カードを強制的に表面側が露出するように反転させ外部からカードの表面に記載された表示内容を視認可能にするカード反転手段とを備え、
反転したカードの自他識別情報に基づいてプレーヤに所定の利益を付与するようにしたカードゲーム機。
【請求項２】
前記カード反転手段は、前記露出するカードの裏面の反対面からカードに外力を加えることで同カードを強制的に反転させてカードの表面側を露出させることを特徴とする請求項１に記載のカードゲーム機。
【請求項３】
前記カード反転手段は、前記露出するカードの裏面の反対面から押圧することで同カードを強制的に反転させてカードの表面側を露出させることを特徴とする請求項２に記載のカードゲーム機。
【請求項４】
前記カードは前記傾斜面に形成された案内手段に沿って所定位置まで滑走することを特徴とする請求項１〜請求項３のいずれかに記載にカードゲーム機。
【請求項５】
前記停止手段は、前記傾斜面上に突出するストッパであって、傾斜面を滑走してきた前記カードが前記ストッパの端面と接触することでカードが傾斜面上で停止し、前記カード反転手段は露出するカードの裏面の反対面からカードに外力を加え、前記カードと前記ストッパとの接触部を基点としてカードを強制的に反転させることを特徴とする請求項１〜請求項４のいずれかに記載のカードゲーム機。
【発明の詳細な説明】
【技術分野】
【０００１】
本発明は、実際のカードを使用するカードゲーム機に関するものである。
【背景技術】
【０００２】
従来、例えばトランプ用カード（以下、単にカードとする）を使用するゲーム機としては、ディスプレイ画面上にカードの画像を表示させ、プレーヤはそのディスプレイ画面に表示されるカード画像を見てゲームを進めていくとともにゲームの勝敗を確認する。
【発明の開示】
【発明が解決しようとする課題】
【０００３】
しかしながら、上記のカードゲーム機には次のような問題があった。
上記のカードゲーム機では、ディスプレイ画面に実物のカードとは異なるカードの画像が表示されるだけであるため、実際のカードを使用してプレイするゲームと比較した場合、リアルさに欠けるという問題があった。
また、従来のカードゲーム機ではカードの配布をコンピュータがプログラムに基づいて行うことから、プレーヤはプレー回数を重ねるほどコンピュータが実行するゲームのパターンをある程度把握し、ゲームの勝敗をある程度予測することができてしまう。そのため、ゲームの面白さが低下してしまうという問題があった。
上記問題は本物のカードを使用することで解消されることであるが、本物のカードを使用する場合には、カードを反転したりすること等、非常に困難な動作が必要であるため、ゲーム機に本物のカードを使用することは難しい。
本発明は、上記問題を解消するためになされたものであり、その目的は、画像等の擬似的なカードを使用することなく、安価なコストで本物のカードを使用してリアルさや面白さを向上することが可能なカードゲーム機を提供することにある。
【課題を解決するための手段】
【０００４】
上記目的を達成するために、請求項１に記載の発明では、表面に自身と他とを識別する自他識別情報が表示されるとともに裏面のデザインに共通性を有するカードを使用したカードゲーム機において、同じ形状の複数の前記カードを積層してなるカード群の中から、カードを１枚ずつ裏面側が露出した状態で配布する配布手段と、前記配布手段により配布されたカードが滑走する傾斜面と、前記傾斜面を滑走してきた前記カードを傾斜面の所定位置にて停止させる停止手段と、前記停止手段によって停止させられた前記カードを強制的に表面側が露出するように反転させ外部からカードの表面に記載された表示内容を視認可能にするカード反転手段とを備え、反転したカードの自他識別情報に基づいてプレーヤに所定の利益を付与するようにしたことをその要旨とする。
請求項２に記載の発明では、請求項１に記載の発明において、前記露出するカードの裏面の反対面からカードに外力を加えることで同カードを強制的に反転させてカードの表面側を露出させることをその要旨とする。
請求項３に記載の発明では、請求項２に記載の発明において、前記露出するカードの裏面の反対面から押圧することで同カードを強制的に反転させてカードの表面側を露出させることをその要旨とする。
請求項４に記載の発明では、請求項１〜請求項３のいずれかに記載の発明において、前記カードは前記傾斜面に形成された案内手段に沿って所定位置まで滑走することををその要旨とする。
請求項５に記載の発明では、請求項１〜請求項４のいずれかに記載の発明において、前記停止手段は、前記傾斜面上に突出するストッパであって、傾斜面を滑走してきた前記カードが前記ストッパの端面と接触することでカードが傾斜面上で停止し、前記カード反転手段は露出するカードの裏面の反対面からカードに外力を加え、前記カードと前記ストッパとの接触部を基点としてカードを強制的に反転させることをその要旨とする。
（作用）
請求項１に記載の発明においては、配布手段により裏面側が露出した状態でカードが配布されると、そのカードは傾斜面を滑走して下方へ移動する。そして、そのカードは所定位置まで移動すると、停止手段により移動が規制される。そして、カード反転手段により所定位置にて停止しているカードが強制的に反転され、外部からカードの表面に記載された表示内容を視認することが可能となる。すなわちプレーヤは実際にカードが反転されることによってゲームの結果を認識することができる。
請求項２に記載に発明においては、請求項１に記載の発明の作用に加え、カードは所定位置にて露出面との反対面から外力が加えられることにより強制的に反転され、外部からカードの表面に記載された表示内容を視認することが可能となる。
請求項３に記載の発明においては、請求項２の発明の作用に加え、カードは所定位置にてその下面から押圧されることにより強制的に反転され、外部からカードの表面に記載された表示内容を視認することが可能となる。
請求項４に記載の発明においては、請求項１〜請求項３のいずれかに記載の発明の作用に加え、前記傾斜面を前記カードが滑走する際、カードは案内手段に沿って所定位置まで滑走する。カードが案内手段に沿って傾斜面上を滑走することにより、滑走中におけるカードの進行方向や回転（平面的な回転）が規制される。
請求項５に記載の発明では、請求項１〜請求項４のいずれかに記載の発明の作用に加え、傾斜面を滑走してきたカードがストッパに接触することで傾斜面上で停止する。この状態でカード反転手段によりカードの露出面との反対面から外力が加えられ、カードはストッパとの接触部を基点として回転し、カードの表面側が露出して外部からカードの表面に記載された表示内容を視認することが可能となる。
【発明の効果】
【０００５】
請求項１に記載の発明によれば、画像等の擬似的なカードを使用することなく、本物のカードを使用することにより、リアルさや面白さを向上することができるというという優れた効果を奏する。
請求項２及び請求項３に記載の発明によれば、請求項１に記載の発明の効果に加え、カードの下面より外力を加えてカードを反転させるようにしたことにより、カードを持ち上げる機構等の複雑な機構を使用する必要がなく、安価なコストで装置を製造することができるという優れた効果を奏する。
請求項４に記載の発明によれば、請求項１〜請求項３のいずれかに記載の発明の効果に加え、傾斜面上でのカードの進行方向や回転が規制されることから、カードの反転動作を確実に行うことができ、ひいてはゲーム進行時の機械的なトラブルの発生を抑制することができるという優れた効果を奏する。
請求項５に記載の発明によれば、請求項１〜請求項４のいずれかに記載の発明の効果に加え、ストッパによりカードを傾斜面上で停止させる機能とカードを反転する際の基点となる機能の両機能を兼用していることにより、部品点数の減少及び機構の簡略化を図ることができ、さらに安価なコストで装置を製造することができるという優れた効果を奏する。
【発明を実施するための最良の形態】
【０００６】
以下、本発明を具体化した一実施の形態を図面に基づいて説明する。
図１に示すように、カードゲーム機１１は操作部１２と展示部１３に２分されている。操作部１２の上面をなすテーブルＴ面には各種画像が表示されるモニタディスプレイ１４が配置されている。ディスプレイモニター１４の周囲には同モニター１４を包囲するようにコントロールパネル１５が５カ所に設置されている。操作部１２の側面には各コントロールパネル１５と対応してメダル払い出し口１６がそれぞれ設けられている。操作部１２の内部には各メダル払い出し口１６に対応してメダル払い出し装置１７がそれぞれ設置されている。プレーヤはコントロールパネル１５の各ボタン１８を操作してモニターディスプレイ１４の所望の位置にマークや数字を入力するようになっている。
前記展示部１３前面には大きく切り欠かれた窓１３ａが形成されており、同窓１３ａ位置には透明なアクリル板２０が嵌合されている。展示部１３内部には傾斜面としてのカードテーブル１９が配設されている。カードテーブル１９はアクリル板２０を通して窓１３ａから外部に向かって露出されている。カードテーブル１９は後述するベース５４前面に配置されている。
図１及び図２に示すように、カードテーブル１９表面は平面形状に構成されているが延出方向は垂直ではなく上方側よりも下方側の方が前方に張り出した傾斜面として配置されている。本実施の形態ではカードテーブル１９はステンレス製の板材から構成されており、その平面形状の表面にはカードＣの滑りを助長するためのヘアライン処理が施されている。図１〜図３に示すように、カードテーブル１９の表面には上下方向に延びる４本一組の案内手段としてのガイドプレート２１が左右に２組装着されている。一対のガイドプレート２１にはスペースＳが設けられ、同スペースＳの間隔はカードＣの幅よりもわずかに大きい寸法となっている。各スペースＳの中央部には水平方向に延びる停止手段としてのストッパ２２がカードテーブル１９の表面から２ｍｍ〜３ｍｍ程度突出した状態でそれぞれ設けられている。各ストッパ２２上方におけるカードテーブル１９の部位には貫通孔２３がそれぞれ形成されている。
【０００７】
図２〜図４に示すように、前記貫通孔２３と対応するカードテーブル１９の裏面には、カード反転手段としてのカード反転装置３１が左右一対に設置されている。同カード反転手段３１を構成するブラケット３２は連結ピン３３によりカードテーブル１９の裏面に取り付け固定されている。各ブラケット３２にはアーム軸３４を介して第１アーム３５ａ、第２アーム３５ｂ、第３アーム３５ｃの３つのアーム３５ａ〜３５ｃが支持されている。各アーム３５ａ〜３５ｃは前記貫通孔２３のピッチと同ピッチで配設されている。
各アーム３５ａ〜３５ｃの胴部３６の先端には上方に向けて湾曲している押し上げ部３７が形成されている。各アーム３５ａ〜３５ｃの胴部３６とブラケット３２との間はバネ３８により連結され、同バネ３８の弾性力により図５及び図６において各アーム３５ａ〜３５ｃはアーム軸３４を中心として常時反時計回り方向へ付勢されている。胴部３６の下方におけるブラケット３２の部位にはカム軸３９が回転可能に支持されている。図４及び図５に示すように、カム軸３９には前記第１アーム３５ａ及び第２アーム３５ｂの胴部３６の後端面３６ａと対向する部位において、等速カム４０が軸着されている。また、図６に示すように、第３アーム３５ｃの胴部３６の後端面３６ａと対向するカム軸３９の部位には変速カム４１が軸着されている。
図５に示すように、第１アーム３５ａと対向する等速カム４０及び第２アーム３５ｂと対向する等速カム４０は、その回転中心部から押圧面４０ａまでの半径距離が終始一定に形成されている。図４に示すように、両等速カム４０は、その押圧面４０ａの位相をずらしてカム軸３９に軸着されている。また、図６に示すように、第３アーム３５ｃと対向する変速カム４１は他の等速カム４０とは異なり、回転中心部から押圧面４１ａまでの半径距離が徐々に長くなっている。本実施の形態では、変速カム４１の中心から押圧面４１ａの最長部位の距離は、前記等速カム４０の中心から押圧面４０ａの距離と同距離となるように構成されている。
図４に示すように、カム軸３９の一端にはアーム用モータ４２が連結され、カム軸３９はアーム用モータ４２の回転に伴って一体回転するようになっている。図５及び図６に示すように、アーム用モータ４２が回転した際には各カム４０，４１の押圧面４０ａ，４１ａが前記各アーム３５ａ〜３５ｃの胴部３６の後端３６ａに摺接しながら押圧する。胴部３６の後端面３６ａが各カム４０，４１の押圧面４０ａ，４１ａに押圧された際には、バネ３８の弾性力に抗して図上時計回り方向に回転し、押し上げ部３７が貫通孔２３からカードテーブル１９の上面に露出するようになっている。そして、胴部３６の後端面３６ａと押圧面４０ａ，４１ａとの接触が解除された場合には、バネ３８の弾性力により、元の位置（図５（ａ）、図６（ａ））に復帰するようになっている。
【０００８】
図２及び図３に示すように、カードテーブル１９の表面下部には水平方向に延びるガイド溝５１が形成されている。また、カードテーブル１９の下方にはカード回収装置５２が配置されている。カード回収装置５２の一部を構成する回収用ガイドレール５３はベース５４に取付固定されている。回収用ガイドレール５３の右端側には回収用モータ５５が取着され、同モータ５５には駆動プーリ５６が軸着されている。また、回収用ガイドレール５３の左端側には従動プーリ５７が配置されている。両プーリ５６，５７間にはベルト５８が掛装されている。ベルト５８の一部には連結板５９を介してカード回収プレート６０が連結されている。カード回収プレート６０は基端部６０ａと回収部６０ｂよりなる前方視略Ｌ字型に形成されている。基端部６０ａの裏面にはローラ６１が取着されている。各ローラ６１は前記回収用ガイドレール５３に係合している。また、カード回収プレート６０の回収部６０ｂの裏面側には係合凸部６２が形成され、同係合凸部６２は前記ガイド溝５１内に係合している。回収用モータ５５の駆動に伴い、カード回収プレート６０は回収用ガイドレール５３に沿って、図３の実線にて示すＡ位置と二点鎖線にて示すＢ位置の２位置間を移動するようになっている。
【０００９】
図２及び図３に示すように、カードテーブル１９の上方であってベース５４上には配布手段としてのカード配布装置７０が配設されている。カード配布装置７０を構成する配布用ガイドレール７１の右端側には配布用モータ７２が固定され、同モータ７２には駆動プーリ７３が軸着されている。また、配布用ガイドレール７１の左端側には従動プーリ７４が配置されている。両プーリ７３，７４間には配布用ベルト７５が掛装されている。
図３及び図７〜図１３に示すように、前記配布用ガイドレール７１には配布キャリア８１のガイドローラ８２が係合している。ガイドローラ８２はローラブラケット８３を介してボディプレート８４に取着されている。ボディプレート８４の両側壁８４ａ，８４ｂ間の間隔は、本実施形態にて使用されるカードＣの幅よりも僅かに大きく設定されている。ボディプレート８４の中央部にはバネ固定プレート８５が取着されている。また、バネ固定プレート８５の上方にはカード積載プレート８６が配置されている。カード積載プレート８６は鉤状に形成され、その係合部８６ａは前記ボディプレート８４の左側壁８４ａに形成された移動孔８７から反対面に突出している。
カード積載プレート８６の積載部８６ｂとバネ固定プレート８５との間には円錐状の四本のコイルバネ８９が配置されている。前記カード積載プレート８６は同バネ８９によって常時上方に付勢されている。カード積載プレート８６の上方においてボディプレート８４の両側壁８４ａ，８４ｂ間には、前後一対のシャフト９０，９１が回転可能に支持されている。ボディプレート８４の右側面８４ｂには、前後一対の配布モータ９２が固定されている。各モータ９２には前記シャフト９０，９１がそれぞれ軸着されている。各シャフト９０，９１には左右一対の繰出ローラ９３がシャフト９０，９１と一体回転可能に取着されている。前記カード積載プレート８６の積載部８６ｂが繰出ローラ９３と接触することで、カード積載プレート８６の上方への移動が規制される。
【００１０】
前記カード積載プレート８６の係合部８６ａはボディプレート８４の左側壁８４ａに取着された一対のガイドプレート９４間に配置され、同係合部８６ａには上下方向に延びるラック９５が取着されている。ボディプレート８４の下面にはモータブラケット９６を介して昇降モータ９７が取着されている。昇降モータ９７にはピニオンギア９８が軸着され、同ギア９８は前記ラック９５に噛合している。前記ピニオンギア９８の一部は切り欠かれて歯のない切り欠き部９８ａが形成されている。この切り欠き部９８ａが前記ラック９５と対向している状態では、ラック９５との噛合関係が解除され、カード積載プレート８６はコイルバネ８９の弾性力により持ち上げられて、図９及び図１０の状態に保持される。また、また、昇降モータ９７の駆動に伴い、ピニオンギア９８が図１１において時計方向に回転した場合には、同ギア９８がラック９５に噛合してラック９５が下方へ移動し、カード積載プレート８６がコイルバネ８９の弾性力に抗して、下降するようになっている。図７において、前記積載部８６ｂの上側右角は切り欠かれた切り欠き部８６ｃとなっている。同切り欠き部８６ｃにはセンサユニット１０６が装着されている。センサユニット１０６にはＣＣＤカメラ１０７及びＬＥＤ（発光ダイオード）１０８が装着されている。
図７及び図９に示すように、ボディプレート８４の右側壁８４ｂには軸９９を介して略Ｌ字型のレバー１００が回転可能に支持されている。レバー１００の押さえ面１００ａは前記カード積載プレート８６の前端面と対向し、その上端面はカード積載プレート８６の積載部８６ｂよりもわずかに低く設定されている。ボディプレート８４の右側壁８４ｂとレバー１００との間はバネ１０１により連結され、同バネ１０１の弾性力によりレバー１００は常時図７において時計方向に付勢されている。また、ボディプレート８４の右側壁８４ｂにはブラケット１０２を介してソレノイド１０３が取着され、同ソレノイド１０３が非励磁状態の場合には、図７に示すように、ロッド１０３ａが収縮状態となり、前記レバー１００の押さえ面１００ａはカード積載プレート８６の前面と対向している状態に保持される。
一方、ソレノイド１０３が励磁状態の場合には、図８に示すように、ロッド１０３ａが伸長状態となり、同ロッド１０３ａによりレバー１００の作用面１００ｂが押圧されてレバー１００の押さえ面１００ａとカード積載プレート８６の前端面との対向関係が解除されるようになっている。図９〜図１３に示すように、前記ボディプレート８４の右側壁８４ｂの上部には、前記配布用ベルト７５が連結されている。配布モータ９２の駆動に伴い、配布キャリア８１は配布用ガイドレール７１に沿って、図３のＣ位置とＤ位置の２位置間を移動するようになっている。図３に示すように、前記配布用ガイドレール７１には、カードテーブル１９に対する配布キャリア８１の位置を検出する配布キャリア位置検出センサ１０５が装着されている。図１に示すように、前記配布キャリア８１は前記窓１３ａ枠外に配置され、配布キャリア８１は展示部１３の枠部により常時遮蔽されて、外部からは見えないようになっている。
【００１１】
図３及び図１４に示すように、前記ガイド溝５１の左方にはカード収容装置１１０が配置されている。図１４及び図１５に示すように、カード収容装置１１０を構成する一対の支持プレート１１１間にはシャフト１１２が回転可能に支持されている。下側の支持プレート１１１には収容モータ１１３が固定され、同モータ１１３にはシャフト１１２が軸着されている。前記シャフト１１２には収容ボックス１１４が一体回転可能に固定されている。収容ボックス１１４のガイド溝５１と対向する側面は開口する開口部１１４ａとなっており、同開口部１１４ａは前記カード回収プレート６０の係合凸部６２と対向している。収容ボックス１１４は前記収容モータ１１３の駆動に伴い。図１５のカード収納位置と図１６のカード排出位置の２位置間で回転移動する。図１４及び図１５に示すように、前記収容ボックス１１４の左方にはサイドプレート１１７が配置されている。サイドプレート１１７には左右一対のガイドプレート１１６が取着されている。ガイドプレート１６間には上下に開口する貫通孔１１８が形成され、同貫通孔１１８からカード積載プレート１１５の係合部１１５ａがサイドプレート１１７の反対面側に露出している。カード積載プレート１１５の係合部１１５ａにはラック１１９が取着されている。サイドプレート１１７の下部にはモータプレート１２０が連結され、同モータプレート１２０には昇降モータ１２１が取着されている。昇降モータ１２１にはピニオンギア１２２が軸着され、同ピニオンギア１２２は前記ラック１１９に噛合している。昇降モータ１２１の駆動に伴い、カード積載プレート１１５の積載部１１５ｂは図１５のＡ位置からＢ位置の間を昇降移動するようになっている。
【００１２】
図３及び図１７に示すように、カード収容装置１１０の上方にはカードシャッフル装置１３０が配置されている。図１８に示すように、カードシャッフル装置１３０を構成する送出側カード積載プレート１３１の支持部１３１ａはサイドプレート１１７の貫通孔１３２からサイドプレート１１７の反対面側に露出している。同支持部１３１ａはサイドプレート１１７に連結された左右一対のガイドプレート１３３に沿って上下動するようになっている。送出側カード積載プレート１３１の支持部１３１ａにはラック１３４が連結されている。前記サイドプレート１１７にはモータプレート１３５を介して昇降モータ１３６が連結されている。同ータ１３６にはピニオンギア１３７が軸着されている。ピニオンギア１３７は前記ラック１３４に噛合しており、昇降モータ１３６の駆動に伴い、送出側カード積載プレート１３１の積載部１３１ｂは図１８のＡ位置からＢ位置の間を昇降移動するようになっている。前記送出側積載プレート１３１の積載部１３１ｂの下方におけるサイドプレート１１７の部位には、サイドプレート１１７に対する積載部１３１ｂの高さを検出するセンサ１８０ａが取着されている。また、受取側カード積載プレート１５０の積載部１５０ｂの下方にも、サイドプレート１５１に対する積載部１５０ｂの高さを検出するセンサが１８０ｂが取着されている。
図１７及び図１８に示すように、前記ガイドプレート１３３の上方におけるサイドプレート１１７の部位にはローラ支持プレート１３８が連結されている。ローラ支持プレート１３８の上面には４個のガイドローラ１３９が回転可能に支持されている。ガイドローラ１３９には押し出しプレート１４０のガイド部１４０ａが係合している。また、押し出しプレート１４０にはガイド部１４０ａに対して直角に折曲され、サイドプレート１１７の貫通孔１４２と対向する押し出し部１４０ｂが形成されている。ガイド部１４０ａの上面にはラック１４３が連結されている。押し出しプレート１４０の上方におけるサイドプレート１１７の部位にはモータプレート１４４を介して押し出しモータ１４５が連結されている。押し出しモータ１４５にはピニオンギア１４６が軸着されている。ピニオンギア１４６は前記ラック１４３に噛合している。押し出しモータ１４５の駆動に伴い、押し出しプレート１４０は図１８のＣ位置とＤ位置の２位置間を水平移動するようになっている。
【００１３】
また、図１７及び図１８に示すように、カードシャッフル装置１３０を構成する受取側カード積載プレート１５０の支持部１５０ａは右側のサイドプレート１５１の貫通孔１５２から反対面に突出し、サイドプレート１５１に連結された左右一対のガイドプレート１５３間に配置されている。受取側カード積載プレート１５０の支持部１５０ａにはラック１５４が取着されている。前記サイドプレート１５１にはモータプレート１５５を介して昇降モータ１５６が連結されている。同モータ１５６にはピニオンギア１５７が軸着されている。ピニオンギア１５７は前記ラック１５４に噛合している。昇降モータ１５６の駆動に伴い、受取側カード積載プレート１５０の積載部１５０ｂは図１８のＥ位置からＦ位置の間を昇降移動するようになっている。
前記サイドプレート１５１には、左右一対の支持プレート１５８が固定されている。両支持プレート１５８間には駆動側シャフト１５９が回転可能に支持されている。同シャフト１５９を介して傾動ブラケット１６０が回転可能に支持されている。駆動側シャフト１５９の一端側には上側の支持プレート１５８に固定された送りモータ１６１に軸着されている。また、駆動側シャフト１５９の中央部には駆動プーリ１６２が一体回転可能に軸着されている。前記傾動ブラケット１６０の左部には従動側シャフト１６３が回転可能に支持されている。同シャフト１６３の中央部には従動プーリ１６４が一体回転可能に軸着されている。前記従動側シャフト１５９の両端にはローラ１６５が一体回転可能に軸着されている。前記駆動プーリ１６２と従動プーリ１６４とにはベルト１６６が掛装されている。前記送りモータ１６１の駆動に伴い、ローラ１６５は図１８において、時計方向又は反時計方向回りに回転するようになっている。
【００１４】
前記傾動ブラケット１６０の右側部には、サイドプレート１５１の貫通孔１６７から反対面に突出する突出部１６０ａが形成されている。突出部１６０ａの上方におけるサイドプレート１５１の部位にはソレノイド１７０が取付固定されている。前記傾動プレートブラケット１６０の上面はサイドプレート１５１に固定された板バネ１６９により押圧され、同バネ１６９の弾性力により傾動ブラケット１６０は駆動側シャフト１５９を中心として常時反時計方向に付勢されている。前記ソレノイド１７０のロッド１７１の収縮時には傾動ブラケット１６０は、図１８に示す水平状態に保持され、また、ロッド１７１の伸長時には同ロッド１７１により突出部１６０ａが押圧されて傾動ブラケット１６０は、図１９に示す傾いた状態に保持されるようになっている。
図３及び図２０に示すように、前記カードシャッフル装置１３０とカード配布装置７０との間において中継プレート１８１が配置されている。前記サイドプレート１１７にはピン１８２を介してガイドレール１８３が支持され、同ガイドレール１８３の一端面にはモータ支持プレート１８４が取着されている。同プレート１８４には送出モータ１８５が支持され、同モータ１８５には駆動プーリ１８６が軸着されている。また、ガイドレール１８３の他端側にはプーリプレート１８７が取着されている。プーリプレート１８７には従動プーリ１８８が軸着されている。前記駆動プーリ１８６と従動プーリ１８８との間には送出ベルト１８９が掛装されている。
前記ガイドレール１８３には送出プレート１９０がガイドローラ１９１を介して係合している送出プレート１９０の胴部１９０ａの前部にはカードＣの幅とほぼ同幅で、高さがカード４セット分（１セット＝ジョーカーを除く５２枚）の枚数高さよりもわずかに高い押出部１９０ｂが連結されている。また、送出プレート１９０の胴部１９０ａには前記送出ベルト１８９が連結されている。前記送出モータ１８５の駆動に伴い、送出プレート１９０は図２０のＡ位置からＢ位置を往復移動するようになっている。送出プレート１９０の移動時には、押出部１９０ｂが前記カード収容装置１１０のカード積載プレート１１５の積載部１１５ｂ、カードシャッフル装置１３０の送出側カード積載プレート１３１の積載部１３１ｂ、中継プレート１８１の上面をわずかに接触した状態で移動するようになっている。
【００１５】
次に、本実施形態の作用ついて説明する。なお、本ゲーム機１１は予め設定されたプログラムに基づいて図示しないコントローラにより駆動制御されるようになっている。
ゲーム待機中には配布キャリア８１は図３のＤ位置に待機している。そして、図２１に示すように、複数枚のカードＣがカード群ＣＡ（本実施の形態では４セットのカードとして裏返された状態でカード積載プレート８６の積載部８６ｂと繰出ローラ９３との間に積層状態で挟持されている。このとき、ピニオンギア９８の切り欠き部９８ａがラック９５と対向する状態に保持されていることから、カードＣはコイルバネ８９の弾性力により積載部８６ｂと繰出ローラ９３とで挟持された状態に保持されている。また、ソレノイド１０３非励磁状態に保持され、レバー１００は積載部８６の端面と対向している状態に保持されている。これにより、積載部８６ｂと繰出ローラ９３との間で挟持されているカード群ＣＡが自重で前方に滑り落ちようとしても、レバー１００の押さえ部１００ａにより押さえられる状態となってカードＣが配布キャリア８１から飛び出すのが防止される。また、本実施の形態では図２０に示すように、カードシャッフル装置１３０の送り出し側積載プレート１３１の積載部１３１ｂにも裏返された状態で４セット分のカードＣがカード群ＣＢとして積載待機している。
【００１６】
なお、本実施の形態では、ゲームの内容としてバンカー（コントローラ）と各プレーヤとに別れ、これから行われるゲームの勝ちがバンカーなのかプレーヤなのか、又は引き分けなのかの勝敗予想をしてプレーする、いわゆるバカラゲームを採用している。本実施の形態では、バカラゲームの内容についてはその詳細な説明は省略する。
ゲームを行う際には、まず、プレーヤはゲームの結果を予想して操作パネル１５のボタン１８の操作によりモニタディスプレイ１４上に所望のマークや数字を入力する。マークや数字の入力が終了すると、カード配布装置７０の配布用モータ７２が駆動して、配布キャリア８１が配布用ガイドレール７１に沿って図３のＤ位置方向へ走行移動する。そして、スペースＳ１と対向する位置まで移動すると、配布用モータ７２の駆動が停止され、配布キャリア８１はその位置で停止する。配布キャリア８１が停止すると、配布モータ９２が逆回転方向に駆動される。すなわち、図２２に示すように、繰出ローラ９３の回転により最上面のカードＣが上方向に移動して、最上部のカードＣの右隅部のマーク（数字及びクラブやダイア等のマーク）Ｍがセンサユニット１０６のＣＣＤカメラ１０７上を通過し、同ＣＣＤカメラ１０７によりカードＣのマークＭが識別される。このとき、ＬＥＤ１０８からの照明により、外光の当たらないカードＣの裏面においても確実にＣＣＤ１０８はカードＣのマークＭを識別することができる。センサユニット１０６により識別されたカードＣのマークＭはコントローラにより記憶される。
カードＣのマークＭの識別が終了すると、配布モータ９２は正回転方向に駆動し、図２３に示すように、繰出ローラ９３は最上部のカードＣを配布キャリア８１からカードテーブル１９上に排出する。配布キャリア８１から排出されたカードＣはスペースＳ１間に落下移動する（図２のｐ位置）。そして、カードＣはガイドプレート２１に沿ってスペースＳ１間を滑走落下し、ストッパ２２と接触することによりその移動が規制される（図２のｑ位置）。スペースＳ１へのカードＣの配布が終了すると、配布用モータ７２が再度駆動し、配布キャリア８１が隣接するスペースＳ２と対向する位置まで移動する。ここでも、前記と同様に最上部のカードＣのマークが識別された後、スペースＳ２内にカードＣが配布される。同動作がスペースＳ６まで行われる。コントローラは配布した全カードＣのマークを記憶する。そして、カードＣが配布される前にプレーヤにより入力されたマークと、今回配布したカードＣのマークとを比較し、ゲームの勝敗の判定を行う。ここでは、まだコントローラはその勝敗結果をプレーヤには報知しない。なお、配布キャリア８１の各スペースＳ１〜Ｓ６と対応する位置での停止動作は配布キャリア位置検出センサ１０６からの検出信号に基づき、コントローラが配布用モータ７２の駆動を制御することで行われている。
【００１７】
次にカード反転装置３１のアーム用モータ４２が駆動する。図５及び図６に示すように、同モータ４２の駆動に伴い各カム４０，４１が回転し、アーム３５ａ〜３５ｃの胴部３６の後端面３６ａを押圧する。カム４０，４１の押圧動作によってアーム３５ａ〜３５ｃの押し上げ部３７がカードテーブル１９の貫通孔２３からカードテーブル１９の表面に露出する。このとき、左側のアーム３５ａ、中央のアーム３５ｂ、右側のアーム３５ｃの順番でカードテーブル１９の表面に露出する。すなわち、各アーム３５ａ〜３５ｃの押し上げ部３７によりカードＣが押し上げられ、ストッパ２２と接触する端部を基点として回転する（図５（ｂ）、図６（ｂ）状態、及び図２のｒ位置））。このとき、各アーム３５ａ〜３５ｃの押し上げ部３７はカードＣの中心部よりも上部（ストッパ２２から離間する方向）を押圧する。そして所定の回転量を超えた際に自重によりカードＣはストッパ２２から離れ、ストッパ２２よりも下方のスペースＳ１〜Ｓ６へ落下する（図５（ｃ）、図６（ｃ）状態、及び図２のｓ位置））。このとき、裏面が露出状態にあったカードＣは反転されてマークが記された表面が露出され、プレーヤによる各カードＣのマークの確認が可能となる。なお、本実施の形態では、２組のカード反転装置３１が設けられているが、両カード反転装置３１は同タイミングで駆動される。もちろん、異なるタイミングで駆動されるように構成することもできる。
前記左側のアーム３５ａと中央のアーム３５ｂは等速カム４０の作用により、一定の速度でカードＣを押し上げて同カードＣを反転させる。一方、右側のアーム３５ｃは変速カム４１の作用により徐々に速度を上げてカードＣを反転させる。反転された各カードＣは回収用ガイドレール５３の側面に接触してそれ以上の落下移動が規制される（図２のｔ位置）。
【００１８】
カードテーブル１９上の全カードＣが図２のｔ位置まで落下すると、コントローラはカードＣの配布前にプレーヤによりボタン１８の操作で入力されたマークや数字と、センサユニット１０６から認識したカードＣのマークＭとを比較して、勝敗の判定や掛け率に対するメダルの払い出し枚数等の演算を行う。そして、その演算結果に基づいてゲームに勝ったプレーヤに該当するメダル払い出し装置１７を駆動させて所定枚数のメダル払い出し口１６へ所定枚数のメダルを払い出す。
メダル払い出しが完了すると、回収用モータ５５が駆動されてカード回収プレート６０が図３のＡ位置からＢ位置へ移動する。このとき、図１４に示すように、カードテーブル１９上の各カードＣはカード回収プレート６０の係合凸部６２に右方から押圧され、カード回収プレート６０とともに順次（スペースＳ６側のカードＣからＳ１側のカードＣ）カード収容装置１１０側に回収される。図１４に示すように、回収された６枚のカードＣはカード収容装置１１０の収容ボックス１１４の開口部１１４ａから同ボックス１１４内に収容される。収容ボックス１１４内にカードＣが収容されると、回収用モータ５５が反転駆動してカード回収プレート６０が図３のＡ位置に復帰する。これで１ゲームの行程が終了する。  収容ボックス１１４に６枚のカードＣが収容されると、収容モータ１１３が駆動して、収容ボックス１１４は図１５の位置から図１６の位置に回転移動する。収容ボックス１１４の回転に伴い、同ボックス１１４内のカードＣはカード積載プレート１１５の積載部１１５ｂ上へ移動する。そして、次回のゲームが開始され、前記と同様に配布キャリア８１からカードテーブル１９上にカードＣが配布され、カードＣがカード回収プレート６０により回収されると、また、収容ボックス１１４内のカードＣは積載部１１５ｂ上へ移動する。積載部１１５ｂへのカードＣの枚数に応じて（実際には収容ボックス１１４から積載部１１５ｂへの受け渡し回数）、収容ボックス１１４に対する積載部１１５ｂの高さが低くなるように昇降モータ１２１が駆動して積載部１１５ｂの位置を徐々に下げていく。これにより、積載部１１５ｂ上のカードＣの枚数が多くなってきても、収容ボックス１１４ら積載部１１５ｂへのカードＣの受け渡しがスムーズに行われる。
【００１９】
ゲームが繰り返し行われ、前記配布キャリア８１に積載されているカード群ＣＡのカードＣが無くなると（又は少なくなると）、配布キャリア８１は図３の中継プレート１８１と対向するＣ位置に移動する。図２４に示すように、配布キャリア８１が中継プレート１８１と対向する位置に移動すると、送出モータ１８５が駆動して送出プレート１９０が前進し、カードシャッフル装置１３０に待機していたカード群ＣＢを配布キャリア８１と対向する位置まで搬送してくる。そして、配布キャリア８１の昇降モータ９７が駆動して、カード積載プレート８６の積載部８６ｂが最低位置まで下がるとともに、ソレノイド１０３が励磁してロッド１０３ａが突出し、レバー１００の押さえ部１００ａと積載面８６ｂとの対向関係が解除される。
この状態で、図２５に示すように、送出プレート１９０はさらに前進してカード群ＣＢを中継プレート１８１から配布キャリア８１の積載部８６ｂ上に載せ変える。配布キャリア８１にカード群ＣＡ（ＣＢ）を載せ変えると、送出モータ１８５は反転駆動して送出プレート１９０が後退して図３のＥ位置に移動する。これと同時に配布キャリア８１の昇降モータ９７が駆動してピニオンギア９８の切り欠き部９８ａとラック９５と対向する状態となって両者の噛合が解除され、コイルバネ８９の弾性力により積載部８６ｂが勢いよく上昇して、図２１に示すように、積載部８６ｂと繰出ローラ９３とによりカード群ＣＡがコイルバネ８９の弾性力が付与された状態で挟持される。そして、ゲームが開始されると、前述したように配布キャリア８１が図３のＤ位置方向に移動してカードＣのマークＭの読み取り及び配布が行われる。
【００２０】
一方、前記カード収容装置１１０のカード積載プレート１１５に所定枚数（４セット分）のカード群ＣＢが積載されると、昇降モータ１２１が駆動して積載部１１５ｂが最高位置まで上昇する。そして、送出プレート１９０により積載部１１５ｂ上のカード群ＣＢがカードシャッフル装置１３０の送出側積載プレート１３１の積載部１３１ｂに搬送される（図２６参照）。カード群ＣＢが送出側積載プレート１３１の積載部１３１ｂ上に搬送されると、図２７に示すように、昇降モータ１３６が駆動して積載部１３１ｂが所定量だけ上昇する。次に押し出しモータ１４５が駆動して、貫通孔１４２から押し出しプレート１４０が受取側積載プレート１５０側へ突出する。このとき、傾動ブラケット１６０はソレノイド１７０の励磁に伴い、傾動状態に保持されている。また、このときの受取側積載プレート１６０の積載部１６０ｂの高さは、前記送出側積載プレート１３１の積載部１３１ｂの高さに対応して予め設定された所定の高さに保持されている。両積載部１３１ｂ，１５０ｂの高さは、積載部１３１ｂ，１５０ｂの高さを検出するセンサ１８０ａ，１８０ｂからの信号に基づいて、コントローラが駆動制御している。
押し出しプレート１４０が受取側積載プレート１５０側に突出ことにより、押し出しプレート１４０の押し出し部１４０ｂと対向する複数枚のカードＣが、押し出し部１４０ｂにより受取側積載プレート１５０の積載部１５０ｂ側に搬送される。カードＣが積載部１３１ｂから積載部１５０ｂへ搬送されると、押し出しモータ１４５が反転駆動して、押し出しプレート１４０が図２６の位置へ復帰する。引き続き、残りの積載部１３１ｂ上のカードＣが複数回にわたって同様に受取側積載プレート１５０の積載部１５０ｂ上にすべて受け渡される。カードＣの受け渡しはその都度ランダムに異なる。すなわち、送り出し側積載プレート１３１の積載部１３１ｂの上昇量が変化するとともに、送り出し側積載プレート１３１の積載部１３１ｂの上昇位置に応じて受取側積載プレート１５０積載部１５０ｂの下降位置も変化する。これにより、スムーズなカードＣのスムーズな受け渡しを行うことができる。
【００２１】
そして、全カードＣが受取側積載プレート１５０の積載部１５０ｂに受け渡されると、図２８に示すように、ソレノイド１７０の励磁が解除され、ソレノイド１７０のロッド１７１が収縮して傾動ブラケット１６０は水平状態に復帰する。このとき、カード群ＣＢは板バネ１６９の弾性力が付与された状態で積載部１５０ｂとローラ１６５とで挟持される。そして、図２９に示すように、送りモータ１６１が駆動して、ローラ１６５と接触している積載部１５０ｂ上のカード群ＣＢが１枚ずつ送出側積載プレート１３１の積載部１３１ｂ上に繰り出される。送出側カード積載プレート１３１へのカードＣの繰り出し枚数に伴い、徐々に積載部１５０ｂが上昇することで繰出ローラ１５６とカードＣとの間に隙間ができるのが防止される。また、送出側積載プレート１３１の積載部１３１ｂもカードＣの枚数に伴い、徐々に下降していく。
受取側カード積載プレート１５０側から送出側カード積載プレート１３１への全カードＣの繰り出しが終了すると、再度、前記と同様に送出側積載プレート１３１から受取側積載プレート１５０へのカード群ＣＢの受け渡しが行われる。そして、受取側積載プレート１５０からも前記と同様に１枚ずつカードＣが繰り出される。送出側カード積載プレート１３１と受取側カード積載プレート１５０との間で複数回（例えば５回）のカードＣの受け渡し動作が行われる。送出側カード積載プレート１３１から受取側カード積載プレート１５０へカードＣを受け渡しする際の枚数は、毎回ランダムで変更される。毎回カードＣの枚数を変更して受け渡しを行うことにより、積層状態にあったカードＣの順番が大きく入れ替わる。すなわち、このカードシャッフル装置１３０においてカード群ＣＢのシャッフル（カードＣを切る動作）が行われる。所定回数の受け渡し動作が行われた後、カード群ＣＢは送出側カード積層プレート１３１の積層部１３１ｂ上に待機する。
そして、配布キャリア８１が配布するカードＣが無くなり（少なくなり）、配布キャリア８１が図３のＣ位置に移動すると、前述したように送出プレート１９０により送出側積層プレート１３１の積層部１３１ｂ上のカード群ＣＢが配布キャリア８１のカード積層プレート８６の積層部８６ｂ上に搬送される。
以上の動作が繰り返されて。本実施の形態のカードゲーム機１１による遊技が行われる。
【００２２】
上記のように本実施の形態ではカードゲーム機１１を構成したことにより、次のような効果を得ることができる。
（１）画像等の擬似的なカードを使用する従来のゲーム機と比較した場合、本実施の形態では本物カードＣを使用したことにより、ゲームのリアリティが向上し、カードゲームの面白さを大幅に向上することができる。
（２）カードＣをカードテーブル１９上に配布して、その下面からカードＣをカード反転装置３１により押し上げて反転させるようにした。これにより、カードＣを把持して上方から持ち上げたりする複雑な機構を使用する必要がなく、本実施の形態では安価なコストでカードＣを反転させることができる。
（３）カードテーブル１９の所定部位にストッパ２２を設け、カードＣがストッパ２２と接触している状態でカード反転装置３１のアーム３５ａ〜３５ｃによりカードＣの上部を押圧し、カードＣとストッパ２２との接触部を基点としてカードＣを回転（反転）させるようにした。このように、本実施の形態ではストッパ２２がカードＣを所定位置で停止させる機能と、カードＣを反転させる際の基点となる機能を兼用している。これにより、機構の簡略化を図ることができ、さらに安価なコストで装置を製造することができる。
（４）カードテーブル１９をヘアラインの施されたステンレス製の板材で構成したことによりカードＣの滑りがスムーズに行われ、ゲーム中にプレーヤに与えるストレスを軽減できる。
（５）カードテーブル１９上にカードＣの幅とほぼ同幅（わずかにカードＣの幅よりも大きい）のガイドプレート２１を設けたことにより、カードＣがカードテーブル１９上を滑走する際に、カードＣの平面上の回転（カードＣの向き）を防止したり、カードＣの滑走経路がズレるのを防止することができる。これにより、カードＣの反転時の状態及びカードＣの回収時の状態を常時一定にでき、カードＣのズレ等によるカード反転装置３１及びカード回収装置５２の動作ミスを抑制することができる。
（６）カード反転装置３１を構成するカム４０，４１を２種類使用して第１及び第２アーム３５ａ，３５ｂを一定速度で回転させ、第３アーム３５ｃを徐々に回転速度が上昇するように構成した。つまり、最後に反転されるカードＣの反転速度を、先に反転される他の２枚のカードＣの反転速度よりも反転開始直後はゆっくりと行い、徐々にその回転速度を上げるようにすることにより、ゲームの演出効果を高め、プレーヤが最後のカードＣに意識を集中する効果を期待できる。これにより、一層ゲームを楽しく行うことができる。
（７）本物のカードＣを使用してカードシャッフル装置１３０により配布前のカードＣを複数回シャッフルするように構成した。これにより、カードゲーム機１１のコントローラもカードＣの積層順番を認識できない。従って、予め決められたプログラムに基づいてカードを配布する従来技術とは異なり、プレーヤはゲームの結果を予測することが非常に困難となる。その結果、ゲームの難易度が増し、一層楽しくゲームを行いことができる。
【００２３】
（８）配布キャリア８１にＣＣＤカメラ１０７及びＬＥＤ１０８を備えたセンサユニット１０６を設けて、配布前のカードＣのマークＭを予め識別するようにした。そして、プレーヤによりボタン１８の操作で入力された数字やマーク等と予め識別したカードＣのマークＭを比較し、カードテーブル１９上でカードＣが反転される以前にゲーム結果を判定するようにした（プレーヤには報知しないで判定）。これにより、全カードＣの反転完了後に素早くプレーヤにゲーム結果を報知することができ、スムーズなゲーム進行が可能とる。その結果、プレーヤにストレスを与えることなくより一層楽しくゲームを行うことができる。
（９）カードＣのマークＭを識別する際、カードＣの全体をＣＣＤカメラ１０７で映し出して識別するのではなく、カードＣの角部に表示されているマークＭのみを映し出して識別するようにした。これにより、カードＣの全体を映し出す場合に比べてＣＣＤカメラ１０７を小型化でき、ひいてはカード配布装置７０の小型化できる。
（１０）本実施の形態では、配布キャリア８１に積載するカード群ＣＡの他にもう一群のカード群ＣＢをカードシャッフル装置１３０に待機させておくようにしたことにより、ゲームが複数回行われて配布キャリア８１のカード群ＣＡが無くなった場合でも、素早く配布キャリア８１にカード群ＣＢを搬送することができる。すなわち、カード群ＣＡが一群しか用意されていない場合には、全カードＣを回収してカード群ＣＡとした後でなければ配布キャリア８１にカード群ＣＡを搬送することができない。この場合、次のゲームが行われるまでプレーヤが待機する時間が長時間となり、プレーヤにストレスを与えてしまう。しかし、カード群ＣＡ，ＣＢを２群用意することにより、ゲーム待機時間のプレーヤに与えるストレスを軽減できる。その結果、さらに一層ゲームを楽しく行うことができる。
【００２４】
本発明を、以下のように具体化して実施してもよい。
・上記実施の形態では、カード反転手段としてのカード反転装置３１は、傾斜面としてのカードテーブル１９上のカードとしてのカードＣを、カードテーブル１９の下面からアーム３５ａ〜３５ｃにより押圧してカードＣを反転するように構成した。これに対し、カードテーブル１９の下面から空気を圧送し、風力によりカードＣを吹き飛ばして同カードを反転させるように構成してもよい。
・カード反転手段としてのカード反転装置３１のカム４０，４１を全て同じものを使用して具体化してもよい。また、カム４０，４１の押圧面４０ａ，４１ａの位相をずらさずにカム軸３９に軸着してもよい。
・カード反転手段としてのカード反転装置３１は、カードとしてのカードＣをアーム３５ａ〜３５ｃにより傾斜面としてのカードテーブル１９の下面から押圧して反転させたが、カードＣの停止位置と対応するカードテーブル１９の一部分をモータ等により反転するように構成し、カードＣがその部位に停止した場合に、カードテーブル１９の一部分を回転させてカードＣを反転させるように構成してもよい。
・案内手段としてのガイドプレート２１を設けずに具体化してもよい。
・上記実施の形態では、カード反転手段としてのカード反転装置３１によるカードＣの反転は、アーム３５ａ〜３５ｃによりカードＣの中心部よりも上方（ストッパ２２から離間する方向）を押圧し、停止手段としてのストッパ２２との接触部を基点として回転し、ストッパ２２よりも下方のスペースＳ１〜Ｓ６へ落下するようにした。これに対し、カードＣの停止位置においてカードＣの右側に突起を設け、カード反転装置３１のアーム３５ａ〜３５ｃがカードＣの中心部よりも左側を押圧することで、カードＣと突起との接触部を基点としてカードＣが右方向へ回転して、カードＣが反転するように構成してもよい。
・配布手段としての配布キャリア８１にカード群ＣＡを積載せずに具体化してもよい。この場合、傾斜面としてのカードテーブル１９の上方において所定間隔を設けて複数のカード群を水平向に載置しておき、そのカード群を水平方向へ移動する配布手段により１枚ずつ配布するような構成とする。
【００２５】
・カードとしてのカードＣ以外にウノカードやタロットカード等を使用して具体化してもよい。
・１ゲームあたり傾斜面としてのカードテーブル１９上に配布するカードとしてのカードＣの枚数を適宜変更して具体化してもよい。
・カード群ＣＡ，ＣＢの群数を適宜変更して具体化してもよい。
・コントローラによるゲーム結果の判定をカードとしてのカードＣの反転後に行うようにしてもよい。
・上記実施の形態では、カードとしてのカードＣのマークＭを識別するセンサユニット１０６を配布キャリア８１に設けたが、センサユニット１０６をカードテーブル１９上の各スペースＳ１〜Ｓ６に設けて、カードＣがスペースＳ１〜Ｓ６を通過する際にマークＭの識別を行うように具体化してもよい。
・カードシャッフル装置１３０の送出側積載プレート１３１と受取側カード積載プレート１５０とののカードＣの受け渡し回数（シャッフル回数）を適宜変更して具体化してもよい。
・上記実施の形態では、カードシャッフル装置１３０の受取側カード積載プレート１５０から繰り出されるカードとしてのカードＣは、送出側積載プレート１３１に常時最上面となるように積層されていったが、カードＣがある程度積み重なってカード群の状態になったら、受取側カード積載プレート１５０から繰り出されるカードＣをカード群の最上面ではなく、カード群の途中に差し込むようにして受け渡してもよい。この場合、より一層カードＣのシャッフルが効率よく行われる。
・傾斜面としてのカードテーブル１９の材質を摩擦抵抗の低い合成樹脂やアルミ等の金属製で構成して具体化してもよい。
その他、本発明はその趣旨を逸脱しない範囲において変更した態様で実施することは自由である。
【００２６】
本発明の目的を達成するために上記実施の形態から把握できるその他の技術的思想について下記に付記として説明する。
（１）前記カード反転手段は、傾斜面の所定位置に配置された複数のカードを異なるタイミングで強制的に反転させることを特徴とする請求項１〜請求項５のいずれかに記載のカードゲーム機。
（２）前記カード反転手段は、傾斜面所定位置に配置された複数のカードを異なる速度で強制的に反転させることを特徴とする請求項１〜請求項５若しくは付記１のいずれかに記載のカードゲーム機。
（３）前記停止手段は、前記傾斜面上に突出するストッパであって、傾斜面を滑走してきた前記カードが前記ストッパの端面と接触することでカードが傾斜面上で停止し、前記カード反転手段は露出するカードの裏面の反対面からカードに外力を加え、前記カードと前記ストッパとの接触部を基点としてカードを強制的に反転させることを特徴とする請求項１〜請求項５若しくは付記１又は２のいずれかに記載のカードゲーム機。
（４）前記配布手段は複数枚の前記カードを積層したカード群を積載しており、同配布手段は前記傾斜面の上方において水平方向に移動して傾斜面上の所定部位にカードを配布することを特徴とする請求項１〜請求項５若しくは付記１〜３のいずれかに記載のカードゲーム機。
（５）前記配布手段は複数枚の前記カードを積層したカード群を積載しており、同配布手段はカード群の裏面側を向いた最上部から順に前記傾斜面にカードを配布することを特徴とする請求項１〜請求項５若しくは付記１〜４のいずれかに記載のカードゲーム機。
（６）前記配布手段から配布された前記カードは、前記傾斜面を滑走して配布手段の真下に落下することを特徴とする請求項１〜請求項５若しくは付記１〜５のいずれかに記載のカードゲーム機。
（７）前記配布手段は常時外部から遮蔽されていることを特徴とする請求項１〜請求項５若しくは付記１〜６に記載のカードゲーム機。
（８）前記傾斜面はステンレス製の板材から構成され、その平面形状の表面には前記カードの滑りを助長するためのヘアライン処理が施されていることを特徴とする請求項１〜請求項５若しくは付記１〜７のいずれかに記載のカードゲーム機。
（９）前記カード反転手段により反転されたカードは回収通路上に配列されることを特徴とする請求項１〜請求項５若しくは付記１〜８のいずれかに記載のカードゲーム機。
前記回収通路とは配布手段により配布されたカードを回収する際の回収機構が通過する通路のことである。
（１０）前記配布手段により配布される前記カードは、前記傾斜面上において横方向に一列状態で前記停止手段により停止することを特徴とする請求項１〜請求項５若しくは付記１〜９のいずれかに記載のカードゲーム機。
（１１）前記カード反転手段が前記カードを押圧する際のカードの押圧部位は、同カード中心部よりも前記停止手段との接触部から離間する方向である請求項３〜請求項５若しくは付記１〜１０のいずれかに記載のカードゲーム機。
【図面の簡単な説明】
【００２７】
【図１】本発明にかかる実施の形態におけるカードゲーム機の斜視図。
【図２】同じ実施の形態のカードテーブルの側断面図。
【図３】同じ実施の形態のカードテーブルの平面図。
【図４】同じ実施の形態のカード反転装置の平面図。
【図５】（ａ）同じ実施の形態の等速カムの待機状態を示すカード反転装置の側断面図。（ｂ）は等速カムが回転してアームを押し上げた状態を示すカード反転装置の側断面図。（ｃ）は（ｂ）の状態からさらに等速カムが回転してアームとの係合を解除した状態を示すカード反転装置の側断面図。
【図６】（ａ）同じ実施の形態の等速カムの待機状態を示すカード反転装置の側断面図。（ｂ）は変速カムが回転してアームを押し上げた状態を示すカード反転装置の側断面図。（ｃ）は（ｂ）の状態からさらに変速カムが回転してアームとの係合を解除した状態を示すカード反転装置の側断面図。
【図７】同じ実施の形態の配布キャリアのレバー閉状態における平面図。
【図８】同じ実施の形態の配布キャリアのレバー開状態における平面図。
【図９】同じ実施の形態の配布キャリアの積載プレートが上昇している状態の正面図。
【図１０】同じ実施の形態の配布キャリアの積載プレートが上昇している状態の正断面図。
【図１１】同じ実施の形態の配布キャリアの積載プレートの下降している状態を示す正断面図。
【図１２】同じ実施の形態の配布キャリアの側面図。
【図１３】同じ実施の形態の配布キャリアの側断面図。
【図１４】同じ実施の形態のカード収容装置の平面図。
【図１５】同じ実施の形態のカード収容装置の側断面図。
【図１６】同じ実施の形態の収容ボックスが回転した状態のカード収容装置の側断面図。
【図１７】同じ実施の形態のカードシャッフル装置の平面図。
【図１８】同じ実施の形態のカードシャッフル装置の傾動プレートが水平状態の正断面図。
【図１９】同じ実施の形態のカードシャッフル装置の傾動プレートが傾動状態の正断面図。
【図２０】同じ実施の形態の送出プレートの移動軌跡を示す側面図。
【図２１】同じ実施の形態のカードを積載した配布キャリアの正面図。
【図２２】同じ実施の形態のカードのマーク読み取り時における配布キャリアの平面図。
【図２３】同じ実施の形態の配布キャリアのカード配布時の平面図。
【図２４】同じ実施の形態の中継プレートから配布キャリアにカードを受け渡す前の側面図。
【図２５】同じ実施の形態の中継プレートから配布キャリアにカードを受け渡した状態の側面図。
【図２６】同じ実施の形態のカードを送出側積載プレートに積載した状態におけるカードシャッフル装置の側断面図。
【図２７】同じ実施の形態のカードを送出側積載プレートから受取側積載プレートに受け渡した状態におけるカードシャッフル装置の側断面図。
【図２８】同じ実施の形態の送出側積載プレートから受取側積載プレートに全カードを受け渡した状態におけるカードシャッフル装置の側断面図。
【図２９】受取側積載プレートから送出側積載プレートにカードを１枚ずつ受け渡す状態におけるカードシャッフル装置の側断面図。
【符号の説明】
【００２８】
１９…傾斜面としてのカードテーブル、２１…案内手段としてのガイドプレート、２２…停止手段としてのストッパ、３１…カード反転手段を構成するカード反転装置、３５ａ〜３５ｃ…カード反転手段を構成するアーム、４０…カード反転手段を構成する等速カム、４１…カード反転手段を構成する変速カム、４２…カード反転手段を構成するアーム用モータ、７０…配布手段としての配布装置、８１…配布手段を構成する配布キャリア、Ｃ…カード、ＣＡ…カード群。
【図１】
2005034514.tif 000003
【図２】
2005034514.tif 000004
【図３】
2005034514.tif 000005
【図４】
2005034514.tif 000006
【図５】
2005034514.tif 000007
【図６】
2005034514.tif 000008
【図７】
2005034514.tif 000009
【図８】
2005034514.tif 000010
【図９】
2005034514.tif 000011
【図１０】
2005034514.tif 000012
【図１１】
2005034514.tif 000013
【図１２】
2005034514.tif 000014
【図１３】
2005034514.tif 000015
【図１４】
2005034514.tif 000016
【図１５】
2005034514.tif 000017
【図１６】
2005034514.tif 000018
【図１７】
2005034514.tif 000019
【図１８】
2005034514.tif 000020
【図１９】
2005034514.tif 000021
【図２０】
2005034514.tif 000022
【図２１】
2005034514.tif 000023
【図２２】
2005034514.tif 000024
【図２３】
2005034514.tif 000025
【図２４】
2005034514.tif 000026
【図２５】
2005034514.tif 000027
【図２６】
2005034514.tif 000028
【図２７】
2005034514.tif 000029
【図２８】
2005034514.tif 000030
【図２９】
2005034514.tif 000031